(57)【要約】【課題】  収納箱に収容される硬貨等を収納箱底面に対して均一に積み重ねる収納装置を実現する。【解決手段】  上面に投入口を有する外箱と、開口上面を有し底面外側が前記外箱の底面内側と弾性材で接続される内箱と、前記内箱に固定され上方の案内部を支持する支持体とを備え、前記案内部は前記投入口の直下に頂点を有し下方にひろがる斜面で形成される立体である。【選択図】      図２１
2018013989.tif 000002
【特許請求の範囲】
【請求項１】
上面に投入口を有する外箱と、
開口上面を有し底面外側が前記外箱の底面内側と弾性材で接続される内箱と、
前記内箱に固定され上方の案内部を支持する支持体とを備え、
前記案内部は前記投入口の直下に頂点を有し下方にひろがる斜面で形成される立体であることを特徴とする収納装置。
【請求項２】
前記内箱は前記開口上面に垂直な仕切りで仕切られた複数の部屋を有し、
前記案内部の前記斜面の下端は、前記複数の部屋の各々の上方に含まれることを特徴とする請求項１に記載の収納装置。
【請求項３】
前記案内部は、錐体であることを特徴とする請求項１または請求項２に記載の収納装置。
【請求項４】
前記案内部は、半球であることを特徴とする請求項１または請求項２に記載の収納装置。
【請求項５】
前記案内部は角錐であり、前記角錐のそれぞれの底辺は、隣同士の前記仕切りの上辺の１点同士を結ぶ線分であることを特徴とする請求項３に記載の収納装置。
【請求項６】
前記案内部の頂点の前記開口上面に対する正射影は、前記開口上面の重心であることを特徴とする請求項１乃至請求項５のいずれかに記載の収納装置。
【請求項７】
前記支持体は前記内箱の底面内側に対して直立する柱状であることを特徴とする、請求項１乃至請求項６に記載の収納装置。
【請求項８】
前記支持体は、前記内箱の前記開口面と平行に設けられる少なくとも１つの桟であることを特徴とする請求項１乃至請求項６に記載の収納装置。
【請求項９】
前記収納装置に収納される物体は硬貨であることを特徴とする請求項１乃至請求項８のいずれかに記載の収納装置。
【発明の詳細な説明】
【技術分野】
【０００１】
本発明は、収納装置に関するものである。
【背景技術】
【０００２】
銀行などが設置する現金自動支払機や、自動販売機、遊技場の遊技機等には、硬貨や遊技機用メダル等（以下、硬貨等）を収納するための、硬貨収納装置が内蔵されている。
【０００３】
図２０は、一般的な硬貨収納装置の構成を示している。硬貨収納装置１０は、収納箱１１、投入口１２、およびセンサー１３を備えている。
【０００４】
収納箱１１の天板には、硬貨等の投入口である投入口１２が設けられている。そして、収納箱１１の中に硬貨等が投入されていくと、硬貨等は落下点を中心に収納箱１１の底面から次第に積み重なっていく。
【０００５】
そのため、投入口１２の直下付近を中心に、硬貨等が山状に積み重なる。したがって、投入口１２の直下から離れた収納箱１１の内部には硬貨等が積み重なっていない空間があるにもかかわらず、センサー１３が積み上がった硬貨等の頂点部で、硬貨等が一杯に充填されたと検知してしまっていた。その結果、収納箱１１の収納量に余裕があるにもかかわらず、実際に収容される硬貨等の量が少なくなっていた。
【０００６】
そこで、特許文献１乃至特許文献３には、硬貨等が落下地点に集中して積み重ならない様にする技術が開示されている。
【先行技術文献】
【特許文献】
【０００７】
【特許文献１】特開２０１０−２８７０９５号公報
【特許文献２】特開２０１５−０７５８１７号公報
【特許文献３】特開２０１５−２１５７２３号公報
【発明の概要】
【発明が解決しようとする課題】
【０００８】
しかしながら、特許文献１乃至特許文献３に示される関連技術によっても、収納箱の中での硬貨等の分散が必ずしも一様とはいい難く、硬貨等は収納箱底面に対して不均一な積み重ねになり易い。
【０００９】
本発明の収納装置は、収納箱に収容される硬貨等を収納箱底面に対して均一に積み重ねることを目的とする。
【課題を解決するための手段】
【００１０】
上記の目的を達成するために、本発明の収納装置は、上面に投入口を有する外箱と、開口上面を有し底面外側が前記外箱の底面内側と弾性材で接続される内箱と、前記内箱に固定され上方の案内部を支持する支持体とを備え、前記案内部は前記投入口の直下に頂点を有し下方にひろがる斜面で形成される立体である。
【発明の効果】
【００１１】
本発明によれば、収納箱に収容される硬貨等を収納箱底面に対して均一に積み重ねる収納装置を実現する。
【図面の簡単な説明】
【００１２】
【図１】第１の実施形態の構成例を示す図である。
【図２】第１の実施形態の構成例を示す図である。
【図３】第１の実施形態の構成例を示す図である。
【図４】第１の実施形態の動作を説明する図である。
【図５】第１の実施形態の動作を説明する図である。
【図６】第１の実施形態の動作を説明する図である。
【図７】第２の実施形態の構成例を示す図である。
【図８】第２の実施形態の構成例を示す図である。
【図９】第２の実施形態の構成例を示す図である。
【図１０】第２の実施形態の動作を説明する図である。
【図１１】第２の実施形態の動作を説明する図である。
【図１２】第２の実施形態の動作を説明する図である。
【図１３】第１の実施形態の変形例を示す図である。
【図１４】第１の実施形態の変形例を示す図である。
【図１５】第１の実施形態の変形例を示す図である。
【図１６】第１の実施形態の変形例を示す図である。
【図１７】第２の実施形態の変形例を示す図である。
【図１８】第１の実施形態の変形例を示す図である。
【図１９】第１の実施形態の変形例を示す図である。
【図２０】関連技術の構成を示す図である。
【図２１】第３の実施形態の構成例を示す図である。
【発明を実施するための形態】
【００１３】
［第１の実施形態］
次に、本発明の実施の形態について図１乃至図６を参照して詳細に説明する。
［構成の説明］
図１乃至図３に第１の実施形態の構成を示す。
【００１４】
図１は硬貨収納装置１００の外観を示す。
【００１５】
図１には硬貨収納装置１００の外箱１１０が示されている。
【００１６】
外箱１１０は底面が塞がれた角筒であり、上面は正方形である。そして、外箱１１０は、上面の中央に硬貨を投入する穴として、硬貨投入口１１１を備える。
【００１７】
図２は、図１のＡ−ａ断面を表している。また、図３は、図２のＢ矢視を表している。
【００１８】
図２、および図３を参照すると、外箱１１０の内側に内箱１２０が配置されている。内箱１２０は底面が塞がれた角筒であり、上面は正方形である。また、内箱１２０内側は硬貨等が収納される部屋１２３を形成している。
【００１９】
そして、内箱１２０の外側底面と外箱１１０の内側底面は、スプリング１１２で接続されている。内箱１２０はスプリング１１２の弾性力で自立している。また、硬貨が収納されていない時には、内箱１２０の底面は水平に保たれ、内箱１２０の側面外側と外箱１１０の側面内側は、４辺それぞれ均等の隙間を有している。
【００２０】
また、図２、および図３に示す様に、内箱１２０の内側底面の中央には、円錐の案内部１２１が取付けられた支柱１２２が配置されている。図２および図３に示される様に、案内部１２１の円錐の頂点は、内箱１２０の上面の中央の真上に位置する。
［動作の説明］
次に本実施形態の動作の説明を図２乃至図６を参照して説明する。
【００２１】
硬貨等が図２の硬貨投入口１１１から投入されると、落下した硬貨等は案内部１２１の円錐の側面に衝突して反射、もしくは側面に沿って滑落して、部屋１２３に落下する。
【００２２】
そして、落下した硬貨等が部屋１２３の一部に集中して重くなると、重い側に内箱１２０が傾く。図４および図５は、図５に示す右下の灰色で示した部分に硬貨が集中して、内箱１２０が図５の右下側に傾いた例を示す。
【００２３】
図５の点線は、外箱１１０の底面に対する硬貨投入口１１１の正射影を示す。以下、図６、図１１、および図１２の図中の点線は、同様の位置を示す。硬貨投入口１１１は、点線の真上に位置するので、図５の状態の次に投入された硬貨は案内部１２１の左上の側面に衝突して反射、もしくは左上の側面に沿って滑落して、左上の灰色で示した部分に落下する。硬貨の投入が続くと、やがて左上の部分に蓄積された硬貨の重さと右下に蓄積された硬貨の重さが均衡し、再び図６の様に内箱は外箱の中心部に復帰する。
【００２４】
以上の動作を繰り返すことで、部屋１２３の内部に均等に分散されながら蓄積されていく。
【００２５】
以上説明した様に、本発明の硬貨収納装置１００は、関連技術の硬貨収納装置と比べて、硬貨等を内箱１２０の底面に対して、より均一に積み重ねることができる。
［第２の実施形態］
次に、本発明の実施の形態について図７乃至図１２を参照して詳細に説明する。
［構成の説明］
図７乃至図９に第１の実施形態の構成を示す。
【００２６】
図７は硬貨収納装置２００の外観を示す。
【００２７】
図７には硬貨収納装置２００の外箱１１０が示されていて、第１の実施形態の図１と同じである。
【００２８】
図８は、図７のＡ−ａ断面を表している。また、図９は、図８のＢ矢視を表している。
【００２９】
図８、および図９を参照すると、外箱１１０の内側に内箱２２０が配置されている。内箱２２０は底面が塞がれた角筒であり、上面は正方形である。
【００３０】
そして、内箱２２０の外側底面と外箱１１０の内側底面は、スプリング１１２で接続されている。内箱２２０はスプリング１１２の弾性力で自立している。また、硬貨が収納されていない時には、内箱２２０の底面は水平に保たれ、内箱２２０の側面外側と外箱１１０の側面内側は、４辺それぞれ均等の隙間を有している。
【００３１】
更に、内箱２２０は、図９に示す様に、内箱２２０を上部から見た時に対面する内側側面の中央どうしを結ぶ位置に、仕切り２２２を有している。そして、内箱１２０の内側は仕切り２２２によって４つの部屋１２３が形成されている。
【００３２】
また、図８、および図９に示す様に、内箱２２０の仕切り２２２が交わる内箱２２０の上面の中央には、方錐の案内部２２１が配置されている。図８および図９に示される様に、案内部２２１の方錐の頂点は、内箱２２０の上面の中央の真上に位置し、方錐の４つの斜辺の内箱２２０の上面に対する正射影は、仕切り２２２の上辺に一致する。即ち、案内部２２１の方錐の４つの底辺は、それぞれ４つの部屋２２３の内の１つの部屋の上面内に位置する。
［動作の説明］
次に本実施形態の動作の説明を図７乃至図１３を参照して説明する。
【００３３】
硬貨等が図１の硬貨投入口１１１から投入されると、落下した硬貨等は案内部２２１に衝突する。案内部２２１には４つの側面があり、落下した硬貨は４つの側面のいずれか１つの側面に衝突して反射、もしくは側面に沿って滑落して、側面の底辺に沿った部屋２２３に落下する。
【００３４】
そして、落下した硬貨等が４つの部屋２２３の内の一か所に集中して重くなると、重い部屋側に内箱２２０が傾く。図１０および図１１は、図１１に示す灰色で示す右下の部屋２２３に硬貨が集中して、内箱２２０が図１１の右下側に傾いた例を示す。
【００３５】
図１１で、硬貨投入口１１１は、前述の様に点線の真上に位置するので、次に投入された硬貨は案内部２２１の左上の側面に衝突して反射、もしくは左上の側面に沿って滑落して、左上の灰色で示した部屋２２３に落下する。やがて、左上の部屋に蓄積された硬貨の重さと右下に蓄積された硬貨の重さが均衡し、再び図１２の様に内箱は外箱の中心部に復帰する。
【００３６】
以上の動作を繰り返すことで、硬貨等は４つの部屋２２３に均等に分散されながら蓄積されていく。
【００３７】
第１の実施形態の硬貨収納装置１００では、仕切りが無いため、案内部１２１に衝突して部屋１２３に落下しても、硬貨等が部屋１２３の中で転がって所望の位置に硬貨が留まらないことがある。しかし、本実施形態の硬貨収納装置２００には、仕切り２２２で部屋２２３が分割されている。そのため、案内部２２１に衝突して落下した硬貨等が、思わぬ方向に転がっていくことは、第１の実施形態の硬貨収納装置１００と比べて格段に少なくなる。
【００３８】
以上説明した様に、本発明の硬貨収納装置２００は、第１の実施形態の硬貨収納装置１００と比べて、硬貨等を内箱２２０の底面に対して、より均一に積み重ねることができる。
［第３の実施形態］
次に、第３の実施形態について図２１を参照して説明する。
【００３９】
本実施形態の収納装置３００は、上面に投入口３０１を有する外箱３０２と、開口上面を有し底面外側が前記外箱３０２の底面内側と弾性材３０３で接続される内箱３０４とを備える。また、収納装置３００は、前記内箱３０４に固定され上方の案内部３０５を支持する支持体３０６とを備える。そして、前記案内部３０５は前記投入口３０１の直下に頂点を有し下方にひろがる斜面で形成される立体である。
【００４０】
尚、案内部３０５は必ずしも対称形でなくても良い。例えば、図２１に示される様に、案内部３０５の側面視が必ずしも対称形でなくても良い。また、上面視も必ずしも対称形でなくても良い。
【００４１】
以上説明した様に、本発明の収納装置３００は、関連技術の収納装置と比べて、硬貨等を内箱３０４の底面に対して、より均一に積み重ねることができる。
【００４２】
以上、本発明の好適な実施形態を説明したが、上記実施形態に限定されるものではなく、次のように拡張または変形できる。
【００４３】
第１の実施形態、および第２の実施形態の硬貨収納装置は、硬貨等以外の様々な物体、例えばネジ等を収納する、一般的な収納装置とすることが出来る。
【００４４】
第１の実施形態、および第２の実施形態において、外箱１１０および内箱１２０の上面が正方形であることは必ずしも必須条件ではなく、外箱１１０および内箱１２０の上面が長方形であっても良い。
【００４５】
第１の実施形態、および第２の実施形態において、内箱１２０の側面外側と外箱１１０の側面内側は、４辺それぞれ均等の隙間を有することは必ずしも必須条件ではなく、４辺の隙間が不均等であっても良い。
【００４６】
第１の実施形態、および第２の実施形態において、外箱１１０の外形は直方体、内箱１２０は角筒であったが、外箱の外形が他の多角柱や円柱、内箱が他の多角筒や円筒であっても良い。
【００４７】
第１の実施形態では案内部１２１は円錐体であった。しかし、案内部１２１の形状は方錐やその他の角錐体であっても良い。或いは、案内部１２１は、図１３および図１４に示す様な、半球であっても良い。
【００４８】
第１の実施形態では案内部１２１の支持体として支柱１２２が用いられていたが、図１５および図１６に示す様に、案内部１２１の支持体を支持体３２２の様にすることも出来る。また、図１６では内箱１２０の上面に沿って案内部１２１の四方向に支持体が形成されているが、案内部１２１の三方向、または２方向の支持体などであっても良い。
【００４９】
また、第２の実施形態の内箱２２０では、部屋２２３は４つであったが、２つ以上幾つでも良い。
【００５０】
或いは、第２の実施形態では、方錐の底辺は隣同士の仕切り上の点を結ぶ線分と一致していたが、方錐の底辺は隣同士の仕切り上の点を結ぶ線分と一致していなくても一定の効果がある。
【００５１】
更に、第２の実施形態の内箱は方錐の案内部２２１と均等に仕切られた４つの部屋２２３で構成されていたが、各部屋の容積（底面積）が均等でなくても良い。例えば、内箱の上面図が図１７の様に不均等な３つの部屋を備える形状であっても、一定の効果がある。
【００５２】
また、各実施形態において、スプリング１１２は１つでなく、複数のスプリングで内箱と外箱を接続しても良い。
【００５３】
或いは、各実施形態において、スプリング１１２は、スポンジ等の他の弾性材で形成されても良い。
【００５４】
更に、第１の実施形態で、硬貨投入口１１１から投入され、案内部１２１または案内部２２１に衝突して反射し、内箱２２０から硬貨の飛び出しを防止するために、内箱１２０を図１８または図１９の様な構造としても良い。図１８は、案内部１２１より内箱の外縁を高く形成することで、案内部１２１で硬貨が反射されても内箱の内側面で跳ね返る構造としている。また、図１９では、図１８の内箱の上面を、内箱が傾いた時に硬貨投入口１１１から硬貨が入る程度の開口に狭めて、図１８の構造より更に硬貨が飛び出しにくい構造としている。
【符号の説明】
【００５５】
１０  硬貨収納装置
１１  収納箱
１２  投入口
１３  センサー
１００  硬貨収納箱
１１０  外箱
１１１  硬貨投入口
１１２  スプリング
１２０  内箱
１２１  案内部
１２２  支柱
１２３  部屋
１２４  案内部
２００  硬貨収納装置
２２０  内箱
２２１  案内部
２２２  仕切り
２２３  部屋
３００  収納装置
３０１  投入口
３０２  外箱
３０３  弾性材
３０４  内箱
３０５  案内部
３０６  支持体
３２２  支持体
【図１】
2018013989.tif 000003
【図２】
2018013989.tif 000004
【図３】
2018013989.tif 000005
【図４】
2018013989.tif 000006
【図５】
2018013989.tif 000007
【図６】
2018013989.tif 000008
【図７】
2018013989.tif 000009
【図８】
2018013989.tif 000010
【図９】
2018013989.tif 000011
【図１０】
2018013989.tif 000012
【図１１】
2018013989.tif 000013
【図１２】
2018013989.tif 000014
【図１３】
2018013989.tif 000015
【図１４】
2018013989.tif 000016
【図１５】
2018013989.tif 000017
【図１６】
2018013989.tif 000018
【図１７】
2018013989.tif 000019
【図１８】
2018013989.tif 000020
【図１９】
2018013989.tif 000021
【図２０】
2018013989.tif 000022
【図２１】
2018013989.tif 000023